(57)【要約】      （修正有）【課題】改定後のＲ＆Ａのルールに適合させながら、ボールのスピン数を高くできるアイアンゴルフクラブヘッドを提供する。【解決手段】フェース面１１に連続する第１の側壁部２１と、第１の側壁部２１に連続する第２の側壁部２２と、第２の側壁部２２に連続する底部２３とを有する溝部２０とを備え、３０°測定法で測定した溝部２０の幅Ｗ１は、０．７６ｍｍ以上０．８８ｍｍ以下であり、フェース面１１と第１の側壁部２１との接続部分２４に、曲率半径Ｒ０．０５ｍｍ以上０．３ｍｍ以下の丸みと、第１の側壁部２１と第２の側壁部２２との接続部分２５に丸みを設け、フェース面１１から底部２３までの深さＤ１は、０．３８ｍｍ以上０．５０ｍｍ以下であり、フェース面１１に垂直な面に対する第１の側壁部２１の傾斜角θ１は、３６°以上４０°以下であり、フェース面１１に垂直な面に対する第２の側壁部２２の傾斜角θ２は、５°以上１０°以下である。【選択図】図２
2011098039.tif 000002
【特許請求の範囲】
【請求項１】
フェース面を有するフェース部と、
前記フェース部に形成され、前記フェース面に連続する第１の側壁部と、前記第１の側壁部に連続する第２の側壁部と、前記第２の側壁部に連続する底部とを有する溝部とを備え、
３０°測定法により測定した前記溝部の幅は、０．７６ｍｍ以上０．８８ｍｍ以下であり、
前記フェース面と前記第１の側壁部との接続部分に、曲率半径０．０５ｍｍ以上０．３ｍｍ以下の丸みが付与されており、
前記第１の側壁部と前記第２の側壁部との接続部分に丸みが付与されており、
前記フェース面から前記底部までの深さは、０．３８ｍｍ以上０．５ｍｍ以下であり、
前記フェース面に垂直な面に対する前記第１の側壁部の傾斜角は、３６°以上４０°以下であり、
前記フェース面に垂直な面に対する前記第２の側壁部の傾斜角は、５°以上１０°以下である、アイアンゴルフクラブヘッド。
【請求項２】
前記アイアンゴルフクラブヘッドは、ＪＩＳ規格Ｓ２５Ｃを含む素材よりなる、請求項１に記載のアイアンゴルフクラブヘッド。
【発明の詳細な説明】
【技術分野】
【０００１】
本発明は、アイアンゴルフクラブヘッドに関し、特に、フェース部にスコアラインが形成されたアイアンゴルフクラブヘッドに関する。
【背景技術】
【０００２】
アイアンゴルフクラブのフェース部には、スコアラインと呼ばれる溝が複数形成されている。この溝はボールのスピン数に影響する。ボールのスピン数が高くなるように、この溝は形成されていることが好ましい。
【０００３】
たとえば、特開２００８−１１４００７号公報には、雨天時やラフからのショットの場合にボールのスピン量が大きく低減することを防止し、ボールに傷がつくことを低減するためのゴルフクラブヘッドが開示されている。この公報に記載のゴルフクラブヘッドでは、溝の一対の側面がフェース面から連続する第１の面と第１の面と連続する第２の面を有している。そして、一対の第１の面の各々がなす第１角度が、一対の第２の面の各々がなす第２角度よりも大きい。
【先行技術文献】
【特許文献】
【０００４】
【特許文献１】特開２００８−１１４００７号公報
【発明の概要】
【発明が解決しようとする課題】
【０００５】
Ｒ＆Ａ（Ｒｏｙａｌ  ａｎｄ  Ａｎｃｉｅｎｔ  Ｇｏｌｆ  Ｃｌｕｂ  ｏｆ  Ｓｔ  Ａｎｄｒｅｗｓ）のルール改定により、２０１０年１月１日以降、インパクトエリアの溝の形状に制限が加えられる。具体的には、従来から規定されている溝の幅、深さに加えて、縁の丸みの半径、断面積に対する溝の幅および溝の間隔の比率などが規定される。つまり、より具体的には、次の規定を満たさなければ、そのクラブは不適合とされる。
【０００６】
溝の幅は、３０°測定法で測定された本数の５０％以上が０．８８９ｍｍ以下でなければならない。この３０°測定法（Ｒ＆Ａ規則内規）とは、フェース面に対して３０°傾けられた直線が溝の縁に接する２点間を溝の幅として測定する方法である。溝の深さは、測定された本数の５０％以上が０．５０８ｍｍ以下でなければならない。溝の縁の丸みの半径は、２サークル法で０．２５４ｍｍ以上０．５０８ｍｍ以下の半径を有する同心円上に収まらなければならない。この２サークル法（Ｒ＆Ａ規則内規）とは、溝の側壁と隣接するフェース面とに接する半径０．０１０インチのサークルに対して同心円の半径０．０１１インチのサークルから溝の縁が突き出れば原則不適合とする方法である。断面積に対する溝の幅および溝の間隔の比率は、溝の断面積（Ａ）を溝の幅（Ｗ）と溝の間隔（Ｓ）とを合わせた値で除した値（（Ａ）／（（Ｗ）＋（Ｓ）））の５０％以上が０．００３０インチ（０．０７６２ｍｍ2／ｍｍ）を超えてはならない。
【０００７】
このルール改定によって、改定前に比べてボールのスピン数が減少してしまう可能性が高い。一方で、この改定後のルールを満たしながら、スピン数を高くしたいという要望がある。
【０００８】
上記公報のゴルフクラブヘッドでは、第１の面と第２の面との間に角部が形成されている。この角部が尖っているため、上記公報のゴルフクラブヘッドは、上記Ｒ＆Ａのルールにおける溝の縁の丸みの半径の規定を満たさない。そのため、上記公報のゴルフクラブヘッドは、上記改定後のＲ＆Ａのルールに適合しない。
【０００９】
本発明は、上記課題を鑑みてなされたものであり、その目的は、上記改定後のＲ＆Ａのルールに適合させながら、ボールのスピン数を高くできるアイアンゴルフクラブヘッドを提供することである。
【課題を解決するための手段】
【００１０】
本発明のアイアンゴルフクラブヘッドは、フェース面を有するフェース部と、フェース部に形成され、フェース面に連続する第１の側壁部と、第１の側壁部に連続する第２の側壁部と、第２の側壁部に連続する底部とを有する溝部とを備え、３０°測定法により測定した溝部の幅は、０．７６ｍｍ以上０．８８ｍｍ以下であり、フェース面と第１の側壁部との接続部分に、曲率半径０．０５ｍｍ以上０．３ｍｍ以下の丸みが付与されており、第１の側壁部と第２の側壁部との接続部分に丸みが付与されており、フェース面から底部までの深さは、０．３８ｍｍ以上０．５ｍｍ以下であり、フェース面に垂直な面に対する第１の側壁部の傾斜角は、３６°以上４０°以下であり、フェース面に垂直な面に対する第２の側壁部の傾斜角は、５°以上１０°以下である。
【００１１】
発明者が鋭意検討したところ、溝部の幅、フェース面と第１の側壁部との接続部分の丸み、第１の側壁部と第２の側壁部との接続部の丸み、フェース面から底部までの深さ、フェース面に垂直な面に対する第１の側壁部の傾斜角、フェース面に垂直な面に対する第２の側壁部の傾斜角がスピン数に影響することがわかった。そして、上記の溝部の形状を有する本発明のアイアンゴルフクラブヘッドによれば、上記改定後のＲ＆Ａのルールに適合させながら、ボールのスピン数を高くできることを見出した。
【００１２】
上記のアイアンゴルフクラブヘッドは、好ましくは、ＪＩＳ規格Ｓ２５Ｃを含む素材よりなる。
【発明の効果】
【００１３】
以上説明したように、本発明のアイアンゴルフクラブヘッドによれば、上記改定後のＲ＆Ａのルールに適合させながら、ボールのスピン数を高くできる。
【図面の簡単な説明】
【００１４】
【図１】本発明の一実施の形態のおけるアイアンゴルフクラブヘッドの概略正面図である。
【図２】本発明の一実施の形態のおけるアイアンゴルフクラブヘッドの溝部の概略断面図である。
【図３】アイアンゴルフクラブヘッドの溝部幅とスピン数との関係を示す図である。
【図４】アイアンゴルフクラブヘッドの溝部の曲率半径とスピン数との関係を示す図である。
【図５】アイアンゴルフクラブヘッドの溝部深さとスピン数との関係を示す図である。
【図６】アイアンゴルフクラブヘッドの第１側壁部傾斜角とスピン数との関係を示す図である。
【図７】アイアンゴルフクラブヘッドの第２側壁部傾斜角とスピン数との関係を示す図である。
【図８】比較例Ａの溝部の概略断面図である。
【図９】比較例Ｂの溝部の概略断面図である。
【図１０】本発明例Ｃの溝部の概略断面図である。
【図１１】本発明例Ｃ１の溝部の概略断面図である。
【図１２】本発明例Ｃ２の溝部の概略断面図である。
【図１３】本発明例Ｃ３の溝部の概略断面図である。
【図１４】本発明例および比較例のスピン数を示す図である。
【発明を実施するための形態】
【００１５】
以下、本発明の一実施の形態について図に基づいて説明する。
最初に本発明の一実施の形態のアイアンゴルフクラブヘッドの全体構成について説明する。
【００１６】
図１を参照して、本実施の形態のアイアンゴルフクラブヘッド１は、フェース部１０と、複数の溝部２０とを主に有している。フェース部１０は、打球面であるフェース面１１を有している。フェース部１０に溝部２０が形成されている。溝部２０は、フェース面１１に連続して形成されている。複数の溝部２０は、フェース面１１を縦断する方向に略等間隔で形成されている。複数の溝部２０は、フェース面１１を横断する方向に直線状に形成されている。
【００１７】
アイアンゴルフクラブヘッド１は、図示しないシャフトが接続されるホーゼル部も有している。アイアンゴルフクラブヘッド１は、フェース部１０の周囲に位置するトップエッジ部、トゥ部、ソール部、ヒール部も有している。トップエッジ部はホーゼル部からトゥ部に至るアイアンゴルフクラブヘッド１本体の上端縁部を構成する部分である。ソール部は、アイアンゴルフクラブヘッド１本体の底部を構成する部分である。トゥ部はホーゼル部から離れた側のトップエッジ部とソール部とを接続する部分である。ヒール部はホーゼル部下端からソール部に至る部分である。また、アイアンゴルフクラブヘッド１は、フェース部１０の背面側に図示しないバック部も有している。
【００１８】
アイアンゴルフクラブヘッド１は、たとえばＪＩＳ規格Ｓ２５Ｃを含む素材を用いて作製することができる。なお、アイアンゴルフクラブヘッド１は、たとえば、ステンレス鋼、軟鉄、マルエージング鋼、純チタン、チタン合金、アルミニウム合金などの１種または２種以上の素材を用いて鍛造や鋳造により作製することもできる。
【００１９】
また、アイアンゴルフクラブヘッド１にはめっきが施されていてもよい。めっきは、たとえば、Ｎｉ（ニッケル）−Ｃｒ（クロム）めっきであってもよい。Ｃｒ層が５μｍ、Ｎｉ層が２０μｍであってもよい。
【００２０】
アイアンゴルフクラブヘッド１にシャフトおよびグリップを組み合わせることでアイアンゴルフクラブが構成される。なお、シャフトおよびグリップは周知のものを採用可能である。
【００２１】
次に本実施の形態のアイアンゴルフクラブヘッドの溝部の構成について詳細に説明する。
【００２２】
図２を参照して、溝部２０は、フェース面１１に連続する第１の側壁部２１と、第１の側壁部２１に連続する第２の側壁部２２と、第２の側壁部２２に連続する底部２３とを有している。第１の側壁部２１および第２の側壁部２２は、底部２３を挟んで対向して一対で形成されている。
【００２３】
フェース面１１に対して３０°傾けられた直線がフェース面１１と第１の側壁部２１との接続部分２４に接する２点間の距離を、３０°測定法により測定した溝部２０の幅Ｗ１とする。この３０°測定法により測定した溝部２０の幅Ｗ１は、０．７６ｍｍ以上０．８８ｍｍ以下である。
【００２４】
フェース面１１と第１の側壁部２１との接続部分２４に、曲率半径Ｒが０．０５ｍｍ以上０．３ｍｍ以下の丸みが付与されている。第１の側壁部２１と第２の側壁部２２との接続部分２５に丸みが付与されている。第１の側壁部２１と第２の側壁部２２との間の接続部分２５は、断面視において、尖った形状ではなく、なだらかな形状を有している。
【００２５】
フェース面１１と底部２３とのフェース面１１に垂直な方向の距離がフェース面１１から底部２３までの深さＤ１である。フェース面１１から底部２３までの深さＤ１は、０．３８ｍｍ以上０．５ｍｍ以下である。フェース面１１と接続部分２５とのフェース面１１に垂直な方向の距離が第１側壁部深さ（第１の側壁部２１の深さ）Ｄ２である。接続部分２５と底部２３とのフェース面１１に垂直な方向の距離が第２側壁部深さ（第２の側壁部２２の深さ）Ｄ３である。
【００２６】
フェース面１１に垂直な面に対する第１の側壁部２１の傾斜角θ１は、３６°以上４０°以下である。フェース面１１に垂直な面に対する第２の側壁部２２の傾斜角θ２は、５°以上１０°以下である。断面視における底部２３の幅が底部幅Ｗ２である。底部２３は、フェース面１１と略平行に形成されていることが好ましい。溝部２０は溝部間隔Ｓをあけて複数形成されている。
【００２７】
次に本実施の形態のアイアンゴルフクラブヘッドの作用効果について説明する。
発明者が鋭意検討したところ、本実施の形態の溝部２０の形状を有するアイアンゴルフクラブヘッド１によれば、上記改定後のＲ＆Ａのルールに適合させながら、ボールのスピン数を高くできることを見出した。理由は、以下の通りである。
【００２８】
本実施の形態のアイアンゴルフクラブヘッド１において、３０°測定法により測定した溝部２０の幅Ｗ１を０．７６ｍｍ以上０．８８ｍｍ以下としたのは、溝部２０の幅Ｗ１を０．８８ｍｍ以下にすることで上記改定後のＲ＆Ａのルールの溝の幅０．８８９ｍｍ以下に適合させ、溝部２０の幅Ｗ１を０．７６ｍｍ以上にすることで溝部断面積Ａを大きくして、ボールへの食い込みを良くしようとするものである。また、溝部２０の幅を０．７６ｍｍ以上とすることで、ラフショット時にボールとヘッドとの間に介在した芝が抜けやすくなる。さらに、ウェット時には排水性も向上するので、雨天時のスピン数も高くできる。
【００２９】
フェース面１１と第１の側壁部２２との接続部分２４に、曲率半径Ｒ０．０５ｍｍ以上０．３ｍｍ以下の丸みを付与したのは、曲率半径Ｒを０．０５ｍｍ以上にすることで第１の側壁部２１の傾斜角θ１が３６°であっても上記改定後のＲ＆Ａのルールの溝の丸みの半径に適合させ、曲率半径Ｒを０．３ｍｍ以下にすることでボールにフェース面１１と第１の側壁部２１との接続部分２４をしっかりと接触させて、スピン数を高くしようとするものである。
【００３０】
第１の側壁部２１と第２の側壁部２２との接続部分２５に丸みを付与したのは、これにより、上記改定後のＲ＆Ａのルールの溝の丸みの半径に適合させることができるからである。
【００３１】
フェース面１１から底部２３までの深さＤ１を０．３８ｍｍ以上０．５ｍｍ以下としたのは、フェース面１１から底部２３までの深さＤ１を０．５ｍｍ以下にすることで上記改定後のＲ＆Ａのルールの溝の深さ０．５０８ｍｍ以下に適合させ、フェース面１１から底部２３までの深さＤ１を０．３８ｍｍ以上にすることで溝部断面積Ａを大きくして、ボールへの食い込みを良くしようとするものである。また、溝部２０の深さを０．３８ｍｍ以上とすることで、ラフショット時にボールとヘッドとの間に介在した芝が抜けやすくなる。さらに、ウェット時には排水性も向上するので、雨天時のスピン数も高くできる。
【００３２】
フェース面１１に垂直な面に対する第１の側壁部２１の傾斜角θ１を３６°以上４０°以下としたのは、フェース面１１に垂直な面に対する第１の側壁部２１の傾斜角θ１を３６°以上にすることで曲率半径Ｒが０．０５ｍｍであっても上記改定後のＲ＆Ａのルールの溝の丸みの半径に適合させ、フェース面１１に垂直な面に対する第１の側壁部２１の傾斜角θ１を４０°以下にすることで、上記改定後のＲ＆Ａのルールの溝部２０の幅Ｗ１に対応して底部２３が小さくなることを抑制して、溝部断面積Ａを大きくして、ボールへの食い込みを良くしようとするものである。また、第１の側壁部２１の傾斜角θ１を４０°以下とすることで、排水性も向上するので、特に雨天時のスピン数を高くできる。
【００３３】
フェース面１１に垂直な面に対する第２の側壁部２２の傾斜角θ２を５°以上１０°以下としたのは、フェース面１１に垂直な面に対する第２の側壁部２２の傾斜角θ２を５°以上にすることで溝部２０の加工が容易になって製造管理が容易になり、フェース面１１に垂直な面に対する第２の側壁部２２の傾斜角θ２を１０°以下にすることで溝部断面積Ａを大きくして、ボールへの食い込みを良くしようとするものである。また、第２の側壁部２２の傾斜角θ２を１０°以下とすることで排水性も向上するので、特に雨天時のスピン数を高くできる。
【００３４】
本実施の形態のアイアンゴルフクラブヘッド１は、ＪＩＳ規格Ｓ２５Ｃを含む素材よりなることが好ましい。
【実施例１】
【００３５】
以下、本発明の実施例１について説明する。本発明例Ｃは本発明の実施例である。本発明例Ｄ、Ｅ、Ｈ、Ｍ、Ｐ、Ｑ、Ｔ、Ｕ、Ｖは本発明の変形例である。比較例Ｆ、Ｇ、Ｉ、Ｊ、Ｎ、Ｏ、Ｒ、Ｓ、Ｗ、Ｘは本発明に対する比較例である。なお、同一または相当する部分に同一の参照符号を付し、その説明を繰り返さない場合がある。
【００３６】
図２および表１〜表５を参照して、アイアンゴルフクラブヘッドの溝部２０の形状とスピン数Ｔとの関係について説明する。
【００３７】
図２に示されたアイアンゴルフクラブヘッドの溝部２０の各符号の値が、表１〜表５に示された本発明例および比較例における同一の符号の値であるアイアンゴルフクラブヘッドをそれぞれ作製した。各アイアンゴルフクラブヘッドのロフト角は５６°である。各アイアンゴルフクラブヘッドの素材としては、ＪＩＳ規格Ｓ２５Ｃを使用した。各アイアンゴルフクラブヘッドには、Ｎｉ−Ｃｒめっきを施した。ここで、Ｃｒ層は５μｍ、Ｎｉ層は２０μｍとした。
【００３８】
上記各アイアンゴルフクラブヘッドについて、ロボットテストによりスピン性能を検討した。より詳しくは株式会社ミヤマエ製メカニカルゴルファーを用いて上記各アイアンゴルフクラブヘッドでボールを打ってスピン数Ｔを計測した。具体的には、１００ｙａｒｄのｄｒｙ状態でのスピン数Ｔを計測した。上記各アイアンゴルフクラブヘッドで、各５球ずつボールを打った。表１〜表５のスピン数Ｔの欄には、各５球ずつ打ったボールのスピン数Ｔの平均値を記載した。ボールは、Ｔｉｔｌｅｓｔ  Ｐｒｏ  Ｖ１を使用した。打点の位置は、スコアラインセンター（フェース面１１の溝部２０の長手方向の中央部）で、トップエッジ部から２本目の溝部とソール部から３本目の溝部との間とした。ボールのスピン数Ｔは、Ｉｎｔｅｒａｃｔｉｖｅ  Ｓｐｏｒｔｓ  Ｇａｍｅｓ社製弾道測定器トラックマンで測定した。
【００３９】
表１および図３を参照して、溝部幅Ｗ１とスピン数Ｔとの関係を説明する。表１に示すように、本発明例Ｃ、Ｄ、Ｅおよび比較例Ｆ、Ｇにおいて、溝部幅Ｗ１、溝部間隔Ｓ、底部幅Ｗ２、溝部断面積Ａ、溝部断面積Ａに対する溝部幅Ｗ１および溝部間隔Ｓの比率Ａ／（Ｗ１＋Ｓ）が異なっている。
【００４０】
【表１】
2011098039.tif 000003
【００４１】
本発明例Ｃ、Ｄ、Ｅについては、３０°測定法により測定した溝部２０の幅（溝部幅）Ｗ１は、０．７６ｍｍ以上０．８３１ｍｍ以下である。一方、比較例Ｆ、Ｇについては、３０°測定法により測定した溝部２０の幅（溝部幅）Ｗ１は、０．７４ｍｍ以下である。
【００４２】
図３に示すように、本発明例Ｃ、Ｄ、Ｅのスピン数Ｔ（ｒｐｍ）は、比較例Ｆ、Ｇのスピン数Ｔに比べて大幅に高くなっている。これにより、３０°測定法により測定した溝部２０の幅（溝部幅）Ｗ１を０．７６ｍｍ以上０．８３１ｍｍ以下にすることで、スピン数Ｔを高くできることがわかった。このスピン数Ｔが高くなる傾向は、溝部幅Ｗ１が０．８８ｍｍまで同様であると考えられる。
【００４３】
よって、３０°測定法により測定した溝部２０の幅（溝部幅）Ｗ１の上限値は、３０°測定法での溝部幅が０．８８９ｍｍを超えてはならないとの上記Ｒ＆Ａのルールから０．８８ｍｍと決めた。一方、３０°測定法により測定した溝部２０の幅（溝部幅）Ｗ１の下限値は、表１および図３においてスピン数Ｔが大幅に高くなった臨界値である０．７６ｍｍと決めた。
【００４４】
表２および図４を参照して、曲率半径Ｒとスピン数Ｔとの関係を説明する。表２に示すように、本発明例Ｃ、Ｔ、Ｕ、Ｖおよび比較例Ｗ、Ｘにおいて、溝部幅Ｗ１、溝部間隔Ｓ、曲率半径Ｒ、溝部断面積Ａ、溝部断面積Ａに対する溝部幅Ｗ１および溝部間隔Ｓの比率Ａ／（Ｗ１＋Ｓ）が異なっている。
【００４５】
【表２】
2011098039.tif 000004
【００４６】
本発明例Ｃ、Ｔ、Ｕ、Ｖについては、フェース面１１と第１の側壁部２１との接続部分２４に曲率半径０．０５ｍｍ以上０．３ｍｍ以下の丸みが付与されている。一方、比較例Ｗ、Ｘについては、フェース面１１と第１の側壁部２１との接続部分２４に付与された丸みの曲率半径は０．３５ｍｍ以上である。
【００４７】
図４に示すように、本発明例Ｃ、Ｔ、Ｕ、Ｖのスピン数Ｔ（ｒｐｍ）は、比較例Ｗ、Ｘに比べて大幅に高くなっている。これにより、フェース面１１と第１の側壁部２１との接続部分２４に曲率半径Ｒ０．０５ｍｍ以上０．３ｍｍ以下の丸みが付与されることで、スピン数Ｔを高くできることがわかった。
【００４８】
よって、フェース面１１と第１の側壁部２１との接続部分２４の曲率半径Ｒの上限値は、表２および図４においてスピン数Ｔが大幅に高くなった臨界値である０．３ｍｍと決めた。一方、フェース面１１と第１の側壁部２１との接続部分２４の曲率半径Ｒの下限値は、２サークル法で外側の円から溝の縁が突出してはならないとの上記改定後のＲ＆Ａのルールから０．０５ｍｍと決めた。
【００４９】
表３および図５を参照して、溝部深さＤ１とスピン数Ｔとの関係を説明する。表３に示すように、本発明例Ｃ、Ｈおよび比較例Ｉ、Ｊにおいて、底部幅Ｗ２、溝部深さＤ１、第２側壁部深さ（第２の側壁部２２の深さ）Ｄ３、溝部断面積Ａ、溝部断面積Ａに対する溝部幅Ｗ１および溝部間隔Ｓの比率Ａ／（Ｗ１＋Ｓ）が異なっている。
【００５０】
【表３】
2011098039.tif 000005
【００５１】
本発明例Ｃ、Ｈについては、フェース面１１から底部２３までの深さＤ１は、０．３８ｍｍ以上０．４ｍｍ以下である。一方、比較例Ｉ、Ｊについては、フェース面１１から底部２３までの深さＤ１は、０．３５ｍｍ以下である。
【００５２】
図５に示すように、本発明例Ｃ、Ｈのスピン数Ｔ（ｒｐｍ）は、比較例Ｉ、Ｊに比べて大幅に高くなっている。これにより、フェース面１１から底部２３までの深さＤ１を０．３８ｍｍ以上０．４ｍｍ以下にすることで、スピン数Ｔを高くできることがわかった。このスピン数Ｔが高くなる傾向は、フェース面１１から底部２３までの深さＤ１が０．５ｍｍまで同様であると考えられる。
【００５３】
よって、フェース面１１から底部２３までの深さＤ１の上限値は、溝の深さは０．５０９ｍｍを超えてはならないとの上記Ｒ＆Ａのルールから０．５ｍｍと決めた。一方、フェース面１１から底部２３までの深さＤ１の下限値は、表３および図５においてスピン数Ｔが大幅に高くなった臨界値である０．３８ｍｍと決めた。
【００５４】
表４および図６を参照して、第１側壁部傾斜角（第１の側壁部２１の傾斜角）θ１とスピン数Ｔとの関係を説明する。表４に示すように、本発明例Ｃ、Ｍおよび比較例Ｎ、Ｏにおいて、溝部幅Ｗ１、溝部間隔Ｓ、底部幅Ｗ２、第１側壁部傾斜角θ１、溝部断面積Ａ、溝部断面積Ａに対する溝部幅Ｗ１および溝部間隔Ｓの比率Ａ／（Ｗ１＋Ｓ）が異なっている。
【００５５】
【表４】
2011098039.tif 000006
【００５６】
本発明例Ｃ、Ｍについては、フェース面１１に垂直な面に対する第１の側壁部２１の傾斜角θ１は、３６°以上４０°以下である。一方、比較例Ｎ、Ｏについては、フェース面１１に垂直な面に対する第１の側壁部２１の傾斜角θ１は、４５°以上である。
【００５７】
図６に示すように、本発明例Ｃ、Ｍのスピン数Ｔ（ｒｐｍ）は、比較例Ｎ、Ｏに比べて大幅に高くなっている。これにより、フェース面１１に垂直な面に対する第１の側壁部２１の傾斜角θ１を３６°以上４０°以下にすることで、スピン数Ｔを高くできることがわかった。
【００５８】
よって、フェース面１１に垂直な面に対する第１の側壁部２１の傾斜角θ１の上限値は、表４および図６においてスピン数Ｔが大幅に高くなった臨界値である４０°と決めた。一方、フェース面１１に垂直な面に対する第１の側壁部２１の傾斜角θ１の下限値は、上記曲率半径Ｒが下限値である０．０５ｍｍにおいても、２サークル法で外側の円から溝の縁が突出してはならないとの上記改定後のＲ＆Ａのルールに適合させることから３６°と決めた。
【００５９】
表５および図７を参照して、第２側壁部傾斜角（第１の側壁部２２の傾斜角）θ２とスピン数Ｔとの関係を説明する。表５に示すように、本発明例Ｃ、Ｐ、Ｑおよび比較例Ｒ、Ｓにおいて、底部幅Ｗ２、第２側壁部傾斜角θ２、溝部断面積Ａ、溝部断面積Ａに対する溝部幅Ｗ１および溝部間隔Ｓの比率Ａ／（Ｗ１＋Ｓ）が異なっている。
【００６０】
【表５】
2011098039.tif 000007
【００６１】
本発明例Ｃ、Ｐ、Ｑについては、フェース面１１に垂直な面に対する第２の側壁部２２の傾斜角θ２は、５°以上１０°以下である。一方、比較例Ｒ、Ｓについては、フェース面１１に垂直な面に対する第２の側壁部２２の傾斜角θ２は、１２°以上である。
【００６２】
図７に示すように、本発明例Ｃ、Ｐ、Ｑのスピン数Ｔ（ｒｐｍ）は、比較例Ｒ、Ｓに比べて大幅に高くなっている。これにより、フェース面１１に垂直な面に対する第２の側壁部２２の傾斜角θ２を５°以上１０°以下にすることで、スピン数Ｔを高くできることがわかった。
【００６３】
よって、フェース面１１に垂直な面に対する第２の側壁部２２の傾斜角θ２の上限値は、表５および図７においてスピン数Ｔが大幅に高くなった臨界値である１０°と決めた。一方、フェース面１１に垂直な面に対する第２の側壁部２２の傾斜角θ２の下限値は、溝部２０の加工が容易になって製造管理が容易になることから５°と決めた。
【００６４】
なお、本発明例Ｃ、Ｄ、Ｅ、Ｈ、Ｍ、Ｐ、Ｑ、Ｔ、Ｕ、Ｖのすべてにおいて、溝部断面積Ａに対する溝部幅Ｗ１および溝部間隔Ｓの比率Ａ／（Ｗ１＋Ｓ）が０．００３０インチ（０．０７６２ｍｍ2／ｍｍ）を超えていない。
【実施例２】
【００６５】
以下、本発明の実施例２について説明する。本発明例Ｃは本発明の実施例である。本発明例Ｃ１、Ｃ２、Ｃ３は本発明の変形例である。比較例Ａ、Ｂは本発明に対する比較例である。なお、同一または相当する部分に同一の参照符号を付し、その説明を繰り返さない場合がある。
【００６６】
【表６】
2011098039.tif 000008
【００６７】
図８〜１４および表６を参照して、アイアンゴルフクラブヘッドの溝部２０の形状とスピン数Ｔと関係について説明する。
【００６８】
図８〜１４に示されたアイアンゴルフクラブヘッドの溝部２０の各符号の値が、表６に示された本発明例および比較例における同一の符号の値であるアイアンゴルフクラブヘッドをそれぞれ作製した。
【００６９】
各アイアンゴルフクラブヘッドのロフト角は５６°である。各アイアンゴルフクラブヘッドの素材としては、ＪＩＳ規格Ｓ２５Ｃを使用した。各アイアンゴルフクラブヘッドには、Ｎｉ−Ｃｒめっきを施した。ここで、Ｃｒ層は５μｍ、Ｎｉ層は２０μｍとした。アイアンゴルフクラブヘッドには、Ｒ＆Ａ報告書に基づいてラフショットを再現するため濡れた新聞紙をフェース面１１を覆うように貼り付けた。
【００７０】
上記各アイアンゴルフクラブヘッドについて、ロボットテストによりスピン性能を検討した。より詳しくは株式会社ミヤマエ製メカニカルゴルファーを用いて上記各アイアンゴルフクラブヘッドでボールを打ってスピン数Ｔを計測した。具体的には、３０ｙａｒｄのｗｅｔ状態でのスピン数Ｔを計測した。上記各アイアンゴルフクラブヘッドで、各５球ずつボールを打った。表６のスピン数Ｔの欄には、各５球ずつ打ったボールのスピン数Ｔの平均値を記載した。ボールは、Ｔｉｔｌｅｓｔ  Ｐｒｏ  Ｖ１を使用した。打点の位置は、スコアラインセンター（フェース面の溝部の長手方向の中央部）で、トップエッジ部から２本目の溝部とソール部から３本目の溝部との間とした。ボールのスピン数Ｔは、Ｉｎｔｅｒａｃｔｉｖｅ  Ｓｐｏｒｔｓ  Ｇａｍｅｓ社製弾道測定器トラックマンで測定した。
【００７１】
図８および図９に表６の比較例Ａ、Ｂの溝部２０の概略断面図を示す。図１０〜１３に表６の本発明例Ｃ、Ｃ１、Ｃ２、Ｃ３の溝部２０の概略断面図を示す。なお、図１０〜１３中において、接続部分幅Ｗ３は、溝部２０の接続部分２５間の幅である。
【００７２】
表６および図１４を参照して、溝部２０の形状とスピン数Ｔとの関係を説明する。表６に示すように、本発明例Ｃ、Ｃ１、Ｃ２、Ｃ３および比較例Ａ、Ｂにおいて、溝部幅Ｗ１、溝部間隔Ｓ、底部幅Ｗ２、溝部深さＤ１、第１側壁部深さＤ２、第２側壁部深さＤ３、曲率半径Ｒ、第１側壁部傾斜角θ１、第２側壁部傾斜角θ２、溝部断面積Ａ、溝部断面積Ａに対する溝部幅Ｗ１および溝部間隔Ｓの比率Ａ／（Ｗ１＋Ｓ）が異なっている。
【００７３】
本発明例Ｃ、Ｃ１、Ｃ２、Ｃ３のスピン数Ｔ（ｒｐｍ）は、比較例Ａ、Ｂのスピン数Ｔに比べて大幅に高くなっている。これにより、本発明例Ｃ、Ｃ１、Ｃ２、Ｃ３では、スピン数を高くできることがわかった。
【００７４】
なお、本発明例Ｃ、Ｃ１、Ｃ２、Ｃ３のすべてにおいて、溝部断面積Ａに対する溝部幅Ｗ１および溝部間隔Ｓの比率Ａ／（Ｗ１＋Ｓ）が０．００３０インチ（０．０７６２ｍｍ2／ｍｍ）を超えていない。
【００７５】
上記では、アイアンゴルフクラブヘッドにめっき処理が施されているが、めっき処理の後にフェース面にショットブラスト処理が施されていてもよい。具体的には、スコアラインがワックスで埋められる。この状態でフェース面に砂をあてることによりショットブラスト処理が施される。これにより、スコアラインのめっきは残して、フェース面のめっきを除去することができる。この後、スコアラインに充填されていたワックスが溶解されて除去される。この結果、めっきが残存しているスコアラインが露出する。フェース面のめっきがショットブラスト処理により除去され、スコアラインのめっきが残されることにより、フェース面とスコアラインとの色の対比によってスコアラインの視認性を向上することができる。
【００７６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００７７】
本発明は、フェース部にスコアラインが形成されたアイアンゴルフクラブヘッドに特に有利に適用され得る。
【符号の説明】
【００７８】
１  アイアンゴルフクラブヘッド、１０  フェース部、１１  フェース面、２０  溝部、２１  第１の側壁部、２２  第２の側壁部、２３  底部、２４  接続部分、２５  接続部分。
【図１】
2011098039.tif 000009
【図２】
2011098039.tif 000010
【図３】
2011098039.tif 000011
【図４】
2011098039.tif 000012
【図５】
2011098039.tif 000013
【図６】
2011098039.tif 000014
【図７】
2011098039.tif 000015
【図８】
2011098039.tif 000016
【図９】
2011098039.tif 000017
【図１０】
2011098039.tif 000018
【図１１】
2011098039.tif 000019
【図１２】
2011098039.tif 000020
【図１３】
2011098039.tif 000021
【図１４】
2011098039.tif 000022